(57)【要約】【課題】部品点数を減らしてコストダウンを図ることができるとともに、組み立て性を向上させることができるカメラを提供する。【解決手段】ストラップを取り付けるためのストラップリング（１）を有するカメラにおいて、ストラップリングが、この一端側にストラップリングの長手方向と直交する方向に延びる凸状の係合部（１ｂ、１ｃ）を有しており、係合部と係合する凹状の被係合部が、カメラ本体（３）に一体的に形成されている。【選択図】  図２
2004258220.tif 000002
【特許請求の範囲】
【請求項１】
ストラップを取り付けるためのストラップリングを有するカメラにおいて、
前記ストラップリングが、この一端側に前記ストラップリングの長手方向と直交する方向に延びる凸状の係合部を有しており、
前記係合部と係合する凹状の被係合部が、カメラ本体に一体的に形成されていることを特徴とするカメラ。
【発明の詳細な説明】
【０００１】
【発明の属する技術分野】
本発明は、ストラップを取り付けるためのストラップリングを備えたカメラに関するものである。
【０００２】
【従来の技術】
特許文献１に記載されているように、従来、ストラップを取り付けるためのストラップリングは金属で構成されており、このストラップリングはアルミニウム等の金属で構成されたカバー部材に固定されている。具体的には、ストラップリングとＥリングとを係合させることによって、ストラップリングをカバー部材に固定するものがある。
【０００３】
そして、ストラップリングが固定されたカバー部材をカメラ本体に組み付け、ビスで締め付けることによって、ストラップリングをカバー部材を介してカメラ本体に固定している。
【０００４】
【特許文献１】
特開２００１−００７５５２号公報（第３頁、図１，３）
【０００５】
【発明が解決しようとする課題】
しかしながら、上述した従来技術のストラップリングの固定構造においては、ストラップリングが固定されたカバー部材をビスでカメラ本体に固定しているが、ビスを用いることで部品点数が増えるとともに、組み立て工数が増えてしまう。
【０００６】
また、従来技術の構成において、樹脂で構成されたカバー部材に金属製のストラップリングを取り付ける場合には、ストラップリングの取り付け部分に大きな外力が加わったときに、樹脂で構成されたカバー部材が変形してしまうおそれがある。
【０００７】
【課題を解決するための手段】
本発明は、ストラップを取り付けるためのストラップリングを有するカメラにおいて、ストラップリングが、この一端側にストラップリングの長手方向と直交する方向に延びる凸状の係合部を有しており、係合部と係合する凹状の被係合部が、カメラ本体に一体的に形成されていることを特徴とする。
【０００８】
【発明の実施の形態】
図３は、本発明の１実施形態であるカメラの外観斜視図である。
【０００９】
同図において、２１はカメラ本体であり、この内部には撮影に必要な部材が収納されている。２２はレリーズボタンであり、半押し操作により撮影準備動作（測光動作や焦点調節動作等）が開始され、全押し操作により撮影動作（フィルムやＣＣＤ等の撮像素子への露光）が開始される。
【００１０】
２３は被写体像を観察するためのファインダユニットであり、２４はＡＦ補助光等を投光するための投光部であり、２５は被写体に向けて照明光を照射するストロボユニットである。
【００１１】
２６はレンズ鏡筒であり、光軸方向に繰り出したり繰り込んだりすることにより、撮影光学系の焦点距離を変更する。
【００１２】
上述した構成のカメラにおいて、カメラ本体２１の側面のうち図３の点線Ａで囲まれた領域には、後述する構成のストラップリングが設けられている。
【００１３】
図１はカメラの一部（図３の点線Ａで示す領域の近傍）の構成を示す横断面図であり、図２はカメラの一部の構成を示す縦断面図である。
【００１４】
ストラップリング１は、ストラップを固定するためのリングである。このストラップリング１のうちカメラ本体２１の外側に突出する部分には、ストラップを通すための穴部１ｄが形成されている。
【００１５】
また、ストラップリング１のうちカメラ本体２１内に組み込まれる部分には、ストラップリング１の長手方向と直交する方向に延びる突部（係合部）１ｂ、１ｃが形成されている。
【００１６】
カメラ本体２１内には、電池を収納するための電池収納室５と、ストロボユニット２５のコンデンサを収納するためのコンデンサ収納室４とが、光軸方向で並んで配置されている。そして、電池収納室５とコンデンサ収納室４との間には、ストラップリング１の突部１ｂ、１ｃの外周に沿った形状に形成され、突部１ｂ、１ｃと係合するための溝部（被係合部）３ａが形成されている。
【００１７】
この溝部３ａは、カメラ本体２１（３）に一体的に形成されている。
【００１８】
ストラップリング１の突部１ｂ、１ｃが、カメラ本体３の溝部３ａに係合している状態において、ストラップリング１が図２の矢印Ｂ方向の外力を受けると、突部１ｂ、１ｃがカメラ本体３の溝部３ａの端面に当接することで、外力を吸収するようになっている。
【００１９】
また、ストラップリング１が図２の矢印Ｃ方向の外力を受けた場合においても、突部１ｂ、１ｃがカメラ本体３の溝部３ａの端面に当接することで、外力を吸収するようになっている。
【００２０】
これにより、ストラップリング１は、突部１ｂ、１ｃとカメラ本体３の溝部３ａとの当接作用により、カメラ本体の左右方向（図１、２の左右方向）で位置決めされた状態で固定される。
【００２１】
一方、ストラップリング１には位置決め穴部１ａが形成されており、この位置決め穴部１ａには、カメラ本体２１の外装を構成するカバー部材２に形成された位置決めダボ（係止部）２ａが嵌合している。
【００２２】
このように位置決めダボ２ａが位置決め穴部１ａに嵌合することにより、ストラップリング１が、この長手方向を回転軸として回転するのを阻止することができるようになっている。
【００２３】
次に、ストラップリング１をカメラ本体１に取り付ける方法について説明する。
【００２４】
まず、ストラップリング１をカバー部材２に組み込む。このとき、カバー部材２の位置決めダボ２ａにストラップリング１の位置決め穴部１ａを嵌合させる。
【００２５】
そして、ストラップリング１が取り付けられたカバー部材２を、カメラの前面側を構成するカメラ本体３と、カメラの背面側を構成するカメラ本体３とで挟み込む。
【００２６】
ここで、カメラの前面側を構成するカメラ本体３には、コンデンサ収納室４が形成されているとともに、コンデンサ収納室４の近傍に、突部１ｂ、１ｃの一部（突部１ｂ、１ｃのうちカメラ前面側の領域）と係合する第１の溝部が形成されている。また、カメラの背面側を構成するカメラ本体３には、電池収納室５が形成されているとともに、電池収納室５の近傍に、突部１ｂ、１ｃの一部（突部１ｂ、１ｃのうちカメラ背面側の領域）と係合する第２の溝部が形成されている。
【００２７】
上述した第１の溝部および第２の溝部を合わせることにより、突部１ｂ、１ｃと係合する溝部３ａが構成される。
【００２８】
本実施形態のカメラによれば、ストラップリング１の突部１ｂ、１ｃをカメラ本体３の溝部３ａに係合させることで、ストラップリング１をカメラに固定しているため、従来技術のようにビスを用いてストラップリングをカメラに固定する必要がなくなる。
【００２９】
このようにビスを不要とすることにより、部品点数を少なくでき、カメラのコストダウンを図ることができるとともに、ストラップリング１の組み付け工数を減らすことができ、カメラの組み立て性を向上させることができる。
【００３０】
また、ストラップリング１は、突部１ｂ、１ｃおよびカメラ本体３の溝部３ａの係合作用によって所定位置に固定されるため、カバー部材２を樹脂で構成しても、従来技術で説明したようにカバー部材２が変形することはなく、ストラップリング１の取り付け強度を高めることができる。
【００３１】
以上説明した実施形態は、以下に示す各発明を実施した場合の一例でもあり、下記の各発明は上記実施形態に様々な変更や改良が加えられて実施されるものである。
【００３２】
〔発明１〕  ストラップを取り付けるためのストラップリングを有するカメラにおいて、
前記ストラップリングが、この一端側に前記ストラップリングの長手方向と直交する方向に延びる凸状の係合部を有しており、
前記係合部と係合する凹状の被係合部が、カメラ本体に一体的に形成されていることを特徴とするカメラ。
【００３３】
上記発明１によれば、ストラップリングの係合部を、カメラ本体に一体的に形成された被係合部に係合させることで、ストラップリングをカメラに固定できるため、従来技術のようにビスを用いなくてもストラップリングをカメラに固定できる。
【００３４】
これにより、部品点数を減らしてカメラのコストダウンを図ることができるとともに、カメラの組み立て工数を減らして組み立て性を向上させることができる。しかも、ストラップリングを直接カメラ本体に固定しているため、ストラップリングに大きな外力が加わっても、この外力を吸収することができ、ストラップリングの取り付け強度を高めることができる。これにより、例えば、カバー部材を樹脂などの剛性の低い材料で構成しても、従来技術で説明したようにカバー部材を変形させることはない。
【００３５】
〔発明２〕  電池を収納する電池収納室と、ストロボ用のコンデンサを収納するコンデンサ収納室とを有し、前記電池収納室および前記コンデンサ収納室がカメラ本体の前後方向で並んで配置されたカメラであって、
前記被係合部が、前記電池収納室と前記コンデンサ収納室との間の位置に設けられていることを特徴とする前記発明１に記載のカメラ。
【００３６】
〔発明３〕  カメラ本体の外装を構成する外装部材を有し、
前記外装部材が、前記ストラップリングと係合して、前記ストラップリングの長手方向周りの回転を阻止するための係止部を有することを特徴とする前記発明１又は２に記載のカメラ。
【００３７】
【発明の効果】
本発明によれば、部品点数を減らしてコストダウンを図ることができるとともに、カメラの組み立て性を向上させることができる。
【図面の簡単な説明】
【図１】本実施形態であるカメラの一部の構成を示す横断面図。
【図２】本実施形態であるカメラの一部の構成を示す縦断面図。
【図３】本実施形態であるカメラの外観斜視図。
【符号の説明】
１：ストラップリング
２：カバー部材
３：カメラ本体
４：コンデンサ収納室
５：電池収納室
【図１】
2004258220.tif 000003
【図２】
2004258220.tif 000004
【図３】
2004258220.tif 000005